(57)【要約】【課題】施工時に非常用電源を電源ユニットに接続する手間を省略するとともに接続忘れを防止できる照明装置を提供する。【解決手段】照明装置10は、蓄電池16、端子台14、電源ユニット15および接続機構17を備える。端子台14は、外部電源30を接続する。電源ユニット15は、外部電源30により蓄電池16を充電し、外部電源30の停電時に蓄電池16により光源23を点灯させる。接続機構17は、端子台14と電源ユニット15との接続、および蓄電池16と電源ユニット15との接続を一体に行う。【選択図】図１
2020167122.tif 000002
【特許請求の範囲】
【請求項１】
非常用電源と；
外部電源を接続する端子台と；
前記外部電源により前記非常用電源を充電し、前記外部電源の停電時に前記非常用電源により光源を点灯させる電源ユニットと；
前記端子台と前記電源ユニットとの接続、および前記非常用電源と前記電源ユニットとの接続を一体に行う接続機構と；
を具備することを特徴とする照明装置。
【請求項２】
前記接続機構は、前記端子台に接続された端子台側コネクタと、この端子台側コネクタに着脱される前記電源ユニットの電源側コネクタとを備え、
前記端子台側コネクタは、前記電源側コネクタとの接続により前記非常用電源と前記電源ユニットとを導通させる導通部を有する
ことを特徴とする請求項１記載の照明装置。
【発明の詳細な説明】
【技術分野】
【０００１】
本発明の実施形態は、非常用電源を備えた照明装置に関する。
【背景技術】
【０００２】
従来、例えば誘導灯や非常灯などの照明装置では、非常用電源として蓄電池、停電時に蓄電池により光源を点灯させる電源ユニットなどを備えている。このような照明装置では、工場出荷時に蓄電池を電源ユニットに接続した状態としていると、蓄電池の寿命に影響を与えるため、蓄電池の接続を外した状態で出荷し、施工時において、施工作業者が蓄電池を電源ユニットに接続するようにしている。
【０００３】
しかし、施工時に、蓄電池を電源ユニットに接続する作業が必要となり、また、蓄電池を電源ユニットに接続するのを忘れてしまう虞がある。
【先行技術文献】
【特許文献】
【０００４】
【特許文献１】特開２０１７−４５６１４号公報
【発明の概要】
【発明が解決しようとする課題】
【０００５】
本発明は、施工時に非常用電源を電源ユニットに接続する手間を省略するとともに接続忘れを防止できる照明装置を提供することである。
【課題を解決するための手段】
【０００６】
実施形態の照明装置は、非常用電源、端子台、電源ユニットおよび接続機構を備える。端子台は、外部電源を接続する。電源ユニットは、外部電源により非常用電源を充電し、外部電源の停電時に非常用電源により光源を点灯させる。接続機構は、端子台と電源ユニットとの接続、および非常用電源と電源ユニットとの接続を一体に行う。
【発明の効果】
【０００７】
実施形態の照明装置によれば、施工時に非常用電源を電源ユニットに接続する手間を省略するとともに接続忘れを防止することが期待できる。
【図面の簡単な説明】
【０００８】
【図１】一実施形態を示す照明装置の接続機構が接続された回路図である。
【図２】同上照明装置の接続機構が切り離された回路図である。
【図３】同上照明装置の斜視図である。
【発明を実施するための形態】
【０００９】
以下、一実施形態を、図面を参照して説明する。
【００１０】
図３に照明装置10の一例として誘導灯を示す。照明装置10は、前面側が開口された誘導灯本体である照明装置本体11、この照明装置本体11の前面側に着脱可能に装着されるパネルユニット12、照明装置本体11内に配置される光源ユニット13、端子台14、非常用電源ユニットである電源ユニット15、非常用電源としての蓄電池16、および端子台14と電源ユニット15とを電気的に接続する接続機構17を備えている。
【００１１】
照明装置本体11は、天井面または壁面に設置される。照明装置本体11には、外部電源を供給する電源線を内部に引き込むための配線孔20が設けられている。
【００１２】
パネルユニット12は、誘導表示が表示された表示パネル21、およびこの表示パネル21の背面側に配置され光源ユニット13からの光を表示パネル21に導く導光板22などを備えている。
【００１３】
光源ユニット13は、光源23を備えている。光源23には、例えばＬＥＤや有機ＥＬなどの半導体発光素子が用いられている。
【００１４】
端子台14は、内部に複数の端子を備え、外部に照明装置本体11内に引き込まれた電源線が挿入されて各端子に電気的に接続される複数の接続孔24が設けられている。
【００１５】
電源ユニット15は、端子台14と電気的に接続されており、端子台14を通じて供給される外部電源により蓄電池16を充填し、外部電源の停電時に蓄電池16により光源23を点灯させる。
【００１６】
蓄電池16は、充放電可能な二次電池が用いられ、電源ユニット15に電気的に接続されている。
【００１７】
接続機構17は、パネルユニット12を外した照明装置本体11の前面側から操作可能とする位置に配置されている。
【００１８】
次に、図１および図２に照明装置10の回路図を示す。図１は接続機構17が接続された状態の回路図、図２は接続機構17が切り離された状態の回路図である。
【００１９】
商用交流電源などの外部電源30が電源線31によって照明装置10の端子台14に接続される。電源線31は、電圧線（黒線）である第１の電源線31aと接地線（白線）である第２の電源線31bとの２線を備えている。
【００２０】
また、端子台14は、電圧用端子（黒端子）である第１の端子33a、および接地用端子（白端子）である第２の端子33bを備えている。そして、第１の端子33aに第１の電源線31aが接続され、第２の端子33bに第２の電源線31bが接続される。
【００２１】
また、電源ユニット15は、光源23の点灯および蓄電池16の充電等を行う点灯回路34を備えている。
【００２２】
さらに、電源ユニット15は、電圧用端子（黒端子）である第１の端子35a、および接地用端子（白端子）である第２の端子35bを備えている。電源ユニット15の第１の端子35aおよび第２の端子35bは接続機構17によって端子台14の第１の端子33aおよび第２の端子33bと電気的に接続される。
【００２３】
電源ユニット15には、光源23および蓄電池16が電気的に接続されている。電源ユニット15は、蓄電池16を電気的に接続するためのコネクタ受部36を備えている。そして、コネクタ受部36に蓄電池16が接続されるとともに接続機構17によって点灯回路34と蓄電池16との導通がなされることにより、点灯回路34と蓄電池16とが電気的に接続され、蓄電池16の充放電が可能となる。
【００２４】
電源ユニット15の点灯回路34は、第１の端子35aおよび第２の端子35bと内部配線によって電気的に接続され、第１の端子35aおよび第２の端子35bから外部電源30の供給を受けて動作する。さらに、点灯回路34は、光源23と内部配線によって電気的に接続され、光源23に点灯電源を供給する。また、点灯回路34とコネクタ受部36とは一対の内部配線37a，37bによって電気的に接続されている。一方の内部配線37aは接続機構17に延設され、他方の内部配線37bはコネクタ受部36にコネクタ接続される蓄電池16と電気的に接続される。さらに、コネクタ受部36にはこのコネクタ受部36にコネクタ接続される蓄電池16と電気的に接続される内部配線37cを有し、この内部配線37cは接続機構17に延設されている。
【００２５】
そして、接続機構17の接続状態において、点灯回路34は、外部電源30の通電時に、第１の端子35aおよび第２の端子35bに外部電源30が供給されることにより、この外部電源30を所定の充電用電源に変換して蓄電池16に供給し、蓄電池16を充填する。また、点灯回路34は、外部電源30の停電時に、蓄電池16に蓄えられた電源を所定の点灯電源に変換して光源23に供給し、光源23を点灯させる。
【００２６】
また、蓄電池16は、電源ユニット15のコネクタ受部36に電気的に接続される蓄電池側コネクタ38を備えている。蓄電池側コネクタ38は、蓄電池16から引き出されたハーネスの先端に設けられていてもよいし、蓄電池16に一体に設けられ、蓄電池16を照明装置本体11内の所定の位置に装着することにより電源ユニット15のコネクタ受部36に電気的に接続されるように構成してもよい。コネクタ受部36に電気的に接続された蓄電池側コネクタ38は、一対の内部配線37b，37cに接続される。
【００２７】
また、接続機構17は、端子台14に接続された端子台側コネクタ40と、この端子台側コネクタ40に着脱可能に電気的に接続される電源ユニット15の電源側コネクタ41とを備えている。
【００２８】
端子台側コネクタ40は、電源用コネクタ部44と、導通用コネクタ部45とを一体に有している。電源用コネクタ部44には、端子台14の第１の端子33aおよび第２の端子33bにそれぞれ接続される第１の接続線46aおよび第２の接続線46bが接続されている。導通用コネクタ部45は、電源側コネクタ41との接続により、内部配線37aと内部配線37cとを電気的に接続し、点灯回路34と蓄電池16とを電気的に接続する導通部47を有している。導通部47は、例えば短絡線などで構成される。そして、導通部47は、端子台側コネクタ40と電源側コネクタ41との接続時に、コネクタ受部36から点灯回路34に電気的に接続される回路を閉成し、コネクタ受部36に接続される蓄電池16を点灯回路34に導通させ、また、端子台側コネクタ40と電源側コネクタ41との分離時に、コネクタ受部36から点灯回路34に電気的に接続される回路を開成し、コネクタ受部36に接続される蓄電池16を点灯回路34から電気的に分離する。
【００２９】
電源側コネクタ41は、電源用コネクタ部49と、導通用コネクタ部50とを一体に有している。電源側コネクタ41の電源用コネクタ部49および導通用コネクタ部50は、端子台側コネクタ40の電源用コネクタ部44および導通用コネクタ部45にそれぞれ着脱可能に電気的に接続される。
【００３０】
電源用コネクタ部49は、電源ユニット15の第１の端子35aおよび第２の端子35bに電気的に接続されている。導通用コネクタ部50は、電源ユニット15のコネクタ受部36に内部配線37a，37cによって電気的に接続されている。これら電源用コネクタ部49および導通用コネクタ部50は、電源ユニット15に埋め込み配置され、電源ユニット15内で電気的に接続されている。なお、電源用コネクタ部49および導通用コネクタ部50は、電源ユニット15とは別体とし、接続線などによって電源ユニット15に電気的に接続されてもよい。
【００３１】
そして、このように構成された照明装置10は、工場出荷時において、図２に示すように、接続機構17が切り離されている。すなわち、端子台側コネクタ40と電源側コネクタ41とが切り離され、端子台14と電源ユニット15の点灯回路34との電気的な接続が遮断されている。
【００３２】
さらに、蓄電池16の蓄電池側コネクタ38は電源ユニット15のコネクタ受部36に電気的に接続されている。この場合、コネクタ受部36から点灯回路34に電気的に接続される回路が導通部47の分離によって開成されているため、蓄電池16は点灯回路34と電気的に接続されていない状態となっている。そのため、蓄電池16の劣化が防止される。
【００３３】
また、照明装置10の施工時においては、接続機構17を電気的に接続し、電源線31を照明装置本体11の内部に引き込んで端子台14に接続し、照明装置本体11を天井面または壁面に取り付け、照明装置本体11の前面側にパネルユニット12を装着する。
【００３４】
図１に示すように、接続機構17の端子台側コネクタ40と電源側コネクタ41とを電気的に接続することにより、端子台側コネクタ40の電源用コネクタ部44および導通用コネクタ部45と電源側コネクタ41の電源用コネクタ部49および導通用コネクタ部50とが一体に（または一度に、あるいは同時に）電気的に接続される。
【００３５】
そのため、外部電源30が端子台14の第１の端子33aおよび第２の端子33b、第１の接続線46aおよび第２の接続線46b、電源用コネクタ部44，49を通じて電源ユニット15の第１の端子35aおよび第２の端子35bにそれぞれ供給されるため、点灯回路34が動作する。
【００３６】
さらに、導通用コネクタ部45，50の接続により、コネクタ受部36から点灯回路34に電気的に接続される回路を導通部47によって閉成し、コネクタ受部36に接続されている蓄電池16を点灯回路34に導通させる。これにより、点灯回路34と蓄電池16とが電気的に接続され、蓄電池16の充放電が可能となる。
【００３７】
そして、本実施形態の照明装置10によれば、接続機構17により、端子台14と電源ユニット15の点灯回路34との接続、および蓄電池16と電源ユニット15の点灯回路34との接続を一体に行うため、予め蓄電池16を電源ユニット15に接続しておくことが可能となり、施工時において蓄電池16を電源ユニット15に接続する手間を省略するとともに接続忘れを防止することができる。
【００３８】
照明装置10の工場出荷時に端子台14と電源ユニット15とが電気的に切り離されていても、施工時において、電源ユニット15を動作させるために端子台14と電源ユニット15とを必ず電気的に接続するため、接続機構17により、端子台14と電源ユニット15との接続と一体に蓄電池16と電源ユニット15との接続を行うことができる。
【００３９】
さらに、接続機構17は、端子台14に接続された端子台側コネクタ40と、この端子台側コネクタ40に着脱される電源ユニット15の電源側コネクタ41とを備えるため、端子台14と電源ユニット15との接続、および蓄電池16と電源ユニット15との接続を一体に行うことができる。そして、端子台側コネクタ40に導通部47を設けているため、端子台側コネクタ40と電源側コネクタ41との接続により、蓄電池16と電源ユニット15とを導通させることができる。
【００４０】
しかも、端子台側コネクタ40に電源用コネクタ部44と導通用コネクタ部45とを一体に設け、電源側コネクタ41に電源用コネクタ部49と導通用コネクタ部50とを一体に設けていることにより、端子台14と電源ユニット15との接続、および蓄電池16と電源ユニット15との接続を一体に行うことができる。
【００４１】
なお、照明装置10の構成は、誘導灯に限らず、非常灯でもよく、あるいは天井に設置される一般照明装置に非常灯機能を付加した非常用照明装置にも適用できる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
10    照明装置
14    端子台
15    電源ユニット
16    非常用電源としての蓄電池
17    接続機構
23    光源
30    外部電源
40    端子台側コネクタ
41    電源側コネクタ
47    導通部
【図１】
2020167122.tif 000003
【図２】
2020167122.tif 000004
【図３】
2020167122.tif 000005